(57)【要約】【課題】  単一方向磁力線の磁性装置の提供。【解決手段】  鉄心の周囲と底部に複数の磁性体を設置し、各磁性体の対向面が同じ磁極を具備させ、各磁性体の背向面を鉄塊に取り付け、ケーシングにより組み立てる。各磁性体の磁力線をいずれも整合して単一の同じ方向となすことで、磁力線を増強する。【選択図】        図１
2005217269.tif 000002
【特許請求の範囲】
【請求項１】
鉄心、磁性体、ケーシング、固定手段を具え、各磁性体の対向面が同じ磁極とされた単一方向磁力線の磁性装置において、
該鉄心、磁性体と鉄塊が環状配列を呈し、鉄心周囲と底部に磁性体が設けられ、各磁性体の背向面が鉄塊の凹溝に設置され、該鉄心と各鉄塊に貫通孔が設けられ、該ケーシングの上部が開放状とされ、底部は閉じられて該ケーシングに上述の鉄心、磁性体、鉄塊が収容され、該ケーシングにあって、鉄心と各鉄塊の貫通孔に対応する部分に貫通孔が設けられて固定手段により固定されて一体とされ、Ｘ軸前後、Ｙ軸左右、Ｚ軸下方の磁力線が封鎖されてＺ軸上方の磁力線がＸ軸、Ｙ軸、Ｚ軸の三つの方向の磁力線の総和とされたことを特徴とする、単一方向磁力線の磁性装置。
【請求項２】
請求項１記載の単一方向磁力線の磁性装置において、鉄心が多角形とされたことを特徴とする、単一方向磁力線の磁性装置。
【請求項３】
請求項１記載の単一方向磁力線の磁性装置において、鉄心と鉄塊が取り付ける物体に応じて対応する形状に形成されたことを特徴とする、単一方向磁力線の磁性装置。
【発明の詳細な説明】
【技術分野】
【０００１】
本発明は単一方向磁力線の磁性装置に係り、複数の磁性体で鉄心の周囲と底部を囲み、また複数の鉄塊とケーシングを利用して組み合せてなり、同極排斥と封鎖作用を利用し、各磁性体の磁力線を十分に整合させて同じ単一の方向となすことで、磁力線の強度を増した、単一方向磁力線の磁性装置に関する。
【背景技術】
【０００２】
特許文献１に記載の磁性装置は、同一側が円弧状に形成された一列の鉄塊と、各二つの鉄塊の間に設置されて二側の鉄塊を吸着し且つ二つの磁性体の相互に近い一端が同じ磁極を有する磁性体とを具えている。そのうち、この鉄塊と磁性体の側面は隔板で被覆され、該磁性体が保護並びに固定されている。該隔板はステンレススチール板である。
【０００３】
上述の磁性装置は、実際の応用上、二つの磁性体の相互に近い一端をＸ軸とし、二つの磁性体のＵ字型隔板の二側板と底板に対応する位置をＹ軸とＺ軸とすると、二つの磁性体はただＸ軸方向の磁力線のみ有し、同極排斥の作用を受け、Ｙ軸とＺ軸磁力線は完全には封鎖されず、ゆえに磁力線が完全に同じ単一方向に整合されず、磁力線強度はあまり増加せず、使用に耐えない。
【０００４】
【特許文献１】台湾実用新案出願第８８２００４０６号明細書
【発明の開示】
【発明が解決しようとする課題】
【０００５】
本発明は磁性体の磁力線を単一方向に整合して磁力線の強度を増して適用範囲を増した磁性装置を提供することを目的としている。
【０００６】
本発明によると、磁性体は全部で６個の面を具えたものとし、磁力線は全部でＸ軸、Ｙ軸及びＺ軸の三つの方向を具えたものとし、任意の二軸（例えばＸ軸とＹ軸）方向の磁力線を封鎖してＺ軸方向の磁力線を、もとのＸ軸、Ｙ軸及びＺ軸の三つの方向の磁力線の総和となるようにし、これにより磁力線の強度を少なくとも三倍以上に増すようにしている。
【課題を解決するための手段】
【０００７】
請求項１の発明は、鉄心、磁性体、ケーシング、固定手段を具え、各磁性体の対向面が同じ磁極とされた単一方向磁力線の磁性装置において、
該鉄心、磁性体と鉄塊が環状配列を呈し、鉄心周囲と底部に磁性体が設けられ、各磁性体の背向面が鉄塊の凹溝に設置され、該鉄心と各鉄塊に貫通孔が設けられ、該ケーシングの上部が開放状とされ、底部は閉じられて該ケーシングに上述の鉄心、磁性体、鉄塊が収容され、該ケーシングにあって、鉄心と各鉄塊の貫通孔に対応する部分に貫通孔が設けられて固定手段により固定されて一体とされ、Ｘ軸前後、Ｙ軸左右、Ｚ軸下方の磁力線が封鎖されてＺ軸上方の磁力線がＸ軸、Ｙ軸、Ｚ軸の三つの方向の磁力線の総和とされたことを特徴とする、単一方向磁力線の磁性装置としている。
請求項２の発明は、請求項１記載の単一方向磁力線の磁性装置において、鉄心が多角形とされたことを特徴とする、単一方向磁力線の磁性装置としている。
請求項３の発明は、請求項１記載の単一方向磁力線の磁性装置において、鉄心と鉄塊が取り付ける物体に応じて対応する形状に形成されたことを特徴とする、単一方向磁力線の磁性装置としている。
【発明の効果】
【０００８】
本発明は単一方向磁力線の磁性装置を提供し、それは、複数の磁性体で鉄心の周囲と底部を囲み、また複数の鉄塊とケーシングを利用して組み合せてなり、同極排斥と封鎖作用を利用し、各磁性体の磁力線を十分に整合させて同じ単一の方向となすことで、磁力線の強度を増している。
【発明を実施するための最良の形態】
【０００９】
本発明の単一方向磁力線の磁性装置は、図１から図５及び図１０に実施例１及び図６から図９及び図１１に実施例２が示される。この磁性装置１は、鉄心１０、複数の磁性体２０、ケーシング４０、複数の固定手段５０を具えている。そのうち、該鉄心１０の前後左右の四辺及び底部それぞれに対応する磁性体２０が設けられ、各磁性体２０の対向面は同じ磁極とされ、各磁性体２０の背向面は鉄塊３０の凹溝３１に設置されている。該鉄心１０、磁性体２０及び鉄塊３０に貫通孔１１、２１、３２が設けられている。該ケーシング４０の上部は開放状とされ、底部は閉じられ、上述の鉄心１０、磁性体２０、鉄塊３０を収容する。またケーシング４０にあって鉄心１０、磁性体２０、鉄塊３０の貫通孔１１、２１、３２に対応する部分に貫通孔４１が設けられ、さらに固定手段５０により固定されて一体とされ、鉄心１０と各鉄塊３０の上部は取り付ける物体の形状により各種の異なる形状に形成される。
【００１０】
上述の各部品で組成された本発明の単一方向磁力線の磁性装置は、実際の応用時の状態は、図１０、図１１の本発明の使用状態表示図に示されるとおりである。本発明の鉄心１０、磁性体２０と鉄塊３０は環状の包囲を呈し、三軸の磁力線がいずれも封鎖整合されて、且つ鉄心１０の周囲及び底部の複数の磁性体２０が相互の間の同極排斥を受け、及び五面（前後左右及び下）が完全に封鎖されることで、各磁性体２０のＸ軸、Ｙ軸及びＺ軸の磁力線が整合されて同じ上向きの単一方向とされ、磁力線が増強されて機能が高められている。
【図面の簡単な説明】
【００１１】
【図１】本発明の実施例１の分解斜視図である。
【図２】本発明の実施例１の斜視図である。
【図３】本発明の実施例１のケーシングを除いた状態の斜視図である。
【図４】本発明の実施例１の縦断面図である。
【図５】本発明の実施例１の横断面図である。
【図６】本発明の実施例２の分解斜視図である。
【図７】本発明の実施例２の斜視図である。
【図８】本発明の実施例２の縦断面図である。
【図９】本発明の実施例２の横断面図である。
【図１０】本発明の実施例１の使用状態表示図である。
【図１１】本発明の実施例２の使用状態表示図である。
【符号の説明】
【００１２】
１  磁性装置
１０  鉄心                １１  貫通孔
２０  磁性体              ２１  貫通孔
３０  鉄塊                ３１  凹溝
３２  貫通孔
４０  ケーシング                ４１  貫通孔
５０  固定手段
【図１】
2005217269.tif 000003
【図２】
2005217269.tif 000004
【図３】
2005217269.tif 000005
【図４】
2005217269.tif 000006
【図５】
2005217269.tif 000007
【図６】
2005217269.tif 000008
【図７】
2005217269.tif 000009
【図８】
2005217269.tif 000010
【図９】
2005217269.tif 000011
【図１０】
2005217269.tif 000012
【図１１】
2005217269.tif 000013